(57)【要約】【課題】部材断面のスリム化を図ることのできる耐火木質部材を提供する。【解決手段】荷重を支持する木質材料からなる芯材１０を備えた耐火性を有する木質部材１００であって、少なくとも芯材１０の断面における角部１６の表面を含む所定の領域に、芯材１０よりも熱伝導率の大きい高熱伝導材１２が設けられている。【選択図】図１
2018021423.tif 000002
【特許請求の範囲】
【請求項１】
荷重を支持する木質材料からなる芯材を備えた耐火性を有する木質部材であって、
少なくとも芯材の断面における角部の表面を含む所定の領域に、芯材よりも熱伝導率の大きい高熱伝導材が設けられていることを特徴とする耐火木質部材。
【請求項２】
芯材の外側に設けられる燃え止まり層または仕上げ材をさらに備え、高熱伝導材は、芯材と燃え止まり層または仕上げ材との間に設けられ、燃え止まり層または仕上げ材よりも熱伝導率が大きいことを特徴とする請求項１に記載の耐火木質部材。
【請求項３】
芯材の外側に設けられる第２燃え止まり層と、第２燃え止まり層の外側に設けられる第１燃え止まり層とをさらに備え、高熱伝導材は、第２燃え止まり層と第１燃え止まり層との間に設けられ、第２燃え止まり層および第１燃え止まり層よりも熱伝導率が大きいことを特徴とする請求項１に記載の耐火木質部材。
【請求項４】
芯材の外側に設けられる燃え止まり層と、この燃え止まり層の外側に設けられる仕上げ材とをさらに備え、高熱伝導材は、芯材と燃え止まり層との間、または、燃え止まり層と仕上げ材との間の少なくとも一方に設けられ、芯材および燃え止まり層、または、燃え止まり層および仕上げ材よりも熱伝導率が大きいことを特徴とする請求項１に記載の耐火木質部材。
【発明の詳細な説明】
【技術分野】
【０００１】
本発明は、柱や梁などの建築構造部材として使用するのに好適な耐火木質部材に関し、特に、部材断面における隅角部の耐火性能を向上した耐火木質部材に関するものである。
【背景技術】
【０００２】
従来、木質材料からなる木質柱や木質梁で構造物を構築する場合、木質材料は火災に弱いことから、必要に応じて木質材料を断熱材等で被覆して火災加熱による温度上昇を抑制する対策が行われている。石膏ボード等の断熱材で表層を被覆した四角形断面の木質柱や木質梁などの耐火木質部材が火災加熱を受けると、表層の断熱材を通じた熱伝導によって内側の木質部分が高温になる。
【０００３】
特に、図７に示すように、荷重支持部である木質の芯材１を石膏ボード２で被覆した耐火木質部材においては、火災による周囲からの加熱Ｆによって、（１）の四角形断面の木質柱にあっては４か所の隅角部３、（２）の床４の下に設けた四角形断面の木質梁にあってはその下端の２か所の隅角部３に対する入熱量が側面部５（に対する単位面積当たりの入熱量）に比べて大きく、側面部５よりも高温になる。これらの隅角部３は断面視で直角２方向からの加熱を受け温度上昇しやすい部分となるので、隅角部３の熱劣化が木質部材の荷重支持性能などの耐火性能における弱点部となる。すなわち、隅角部３が側面部５よりも早く木材の着火温度を超えて燃焼を開始すると、未だ着火温度に至っていない内部や側面部５に延焼し、炭化・灰化による部材断面の欠損を招き、部材耐力が低下することによって構造物を崩壊に至らしめるおそれがある。
【０００４】
これに対し、隅角部の耐火性能を確保するために、様々な工夫を施した耐火木質部材が知られている（例えば、特許文献１〜４を参照）。
【先行技術文献】
【特許文献】
【０００５】
【特許文献１】特開２０１２−１３６９３９号公報
【特許文献２】特許第４８７１６６０号公報
【特許文献３】特開２０１５−１２９４３１号公報
【特許文献４】特開２０１５−０６１９６９号公報
【発明の概要】
【発明が解決しようとする課題】
【０００６】
しかしながら、上記の従来の構造では、隅角部の耐火性能を高めるために当該部分に耐火性能が高い材料を特別に使ったり、隅角部に必要な耐火被覆の厚みで部材全体を覆ってしまうことで被覆層が厚くなったりしていた。そのため、耐火木質部材の製造方法が複雑になったり、被覆層が厚くなることで、コストが上がり、部材断面も大きくなるといった問題があった。
【０００７】
このため、従来と同等の構造性能でありながら、部材断面のスリム化を図ることのできる耐火木質部材の開発が求められていた。
【０００８】
本発明は、上記に鑑みてなされたものであって、部材断面のスリム化を図ることのできる耐火木質部材を提供することを目的とする。
【課題を解決するための手段】
【０００９】
上記した課題を解決し、目的を達成するために、本発明に係る耐火木質部材は、荷重を支持する木質材料からなる芯材を備えた耐火性を有する木質部材であって、少なくとも芯材の断面における角部の表面を含む所定の領域に、芯材よりも熱伝導率の大きい高熱伝導材が設けられていることを特徴とする。
【００１０】
また、本発明に係る他の耐火木質部材は、上述した発明において、芯材の外側に設けられる燃え止まり層または仕上げ材をさらに備え、高熱伝導材は、芯材と燃え止まり層または仕上げ材との間に設けられ、燃え止まり層または仕上げ材よりも熱伝導率が大きいことを特徴とする。
【００１１】
また、本発明に係る他の耐火木質部材は、上述した発明において、芯材の外側に設けられる第２燃え止まり層と、第２燃え止まり層の外側に設けられる第１燃え止まり層とをさらに備え、高熱伝導材は、第２燃え止まり層と第１燃え止まり層との間に設けられ、第２燃え止まり層および第１燃え止まり層よりも熱伝導率が大きいことを特徴とする。
【００１２】
また、本発明に係る他の耐火木質部材は、上述した発明において、芯材の外側に設けられる燃え止まり層と、この燃え止まり層の外側に設けられる仕上げ材とをさらに備え、高熱伝導材は、芯材と燃え止まり層との間、または、燃え止まり層と仕上げ材との間の少なくとも一方に設けられ、芯材および燃え止まり層、または、燃え止まり層および仕上げ材よりも熱伝導率が大きいことを特徴とする。
【発明の効果】
【００１３】
本発明に係る耐火木質部材によれば、荷重を支持する木質材料からなる芯材を備えた耐火性を有する木質部材であって、少なくとも芯材の断面における角部の表面を含む所定の領域に、芯材よりも熱伝導率の大きい高熱伝導材が設けられているので、耐火上弱点となる角部の温度上昇を抑制し、角部の耐火性能を著しく向上することができる。したがって、部材を細くしても従来と同等以上の構造性能を確保でき、部材断面のスリム化と低コスト化を図ることができるという効果を奏する。また、この耐火木質部材を室内の柱や梁等に用いることで、室内空間の開放性が高まり、室内を有効活用することが可能となる。
【００１４】
また、本発明に係る他の耐火木質部材によれば、芯材の外側に設けられる燃え止まり層または仕上げ材をさらに備え、高熱伝導材は、芯材と燃え止まり層または仕上げ材との間に設けられ、燃え止まり層または仕上げ材よりも熱伝導率が大きいので、高熱伝導材によって耐火上弱点となる角部の温度上昇を抑制し、角部の耐火性能を著しく向上することができるという効果を奏する。また、燃え止まり層によって、火災による芯材への熱の伝達を抑制し、芯材の炭化や燃焼を防ぐことができる。また、仕上げ材によって、芯材の外側に木質感を付与することができる。
【００１５】
また、本発明に係る他の耐火木質部材によれば、芯材の外側に設けられる第２燃え止まり層と、第２燃え止まり層の外側に設けられる第１燃え止まり層とをさらに備え、高熱伝導材は、第２燃え止まり層と第１燃え止まり層との間に設けられ、第２燃え止まり層および第１燃え止まり層よりも熱伝導率が大きいので、高熱伝導材によって耐火上弱点となる角部の温度上昇を抑制し、角部の耐火性能を著しく向上することができるという効果を奏する。また、第２燃え止まり層および第１燃え止まり層によって、火災による芯材への熱の伝達を抑制し、芯材の炭化や燃焼を防ぐことができる。
【００１６】
また、本発明に係る他の耐火木質部材によれば、芯材の外側に設けられる燃え止まり層と、この燃え止まり層の外側に設けられる仕上げ材とをさらに備え、高熱伝導材は、芯材と燃え止まり層との間、または、燃え止まり層と仕上げ材との間の少なくとも一方に設けられ、芯材および燃え止まり層、または、燃え止まり層および仕上げ材よりも熱伝導率が大きいので、高熱伝導材によって耐火上弱点となる角部の温度上昇を抑制し、角部の耐火性能を著しく向上することができるという効果を奏する。また、燃え止まり層によって、火災による芯材への熱の伝達を抑制し、芯材の炭化や燃焼を防ぐとともに、仕上げ材によって、芯材の外側に木質感を付与することができる。
【図面の簡単な説明】
【００１７】
【図１】図１（１）は、本発明に係る耐火木質部材の実施の形態１を示す断面図、（２）は（１）の隅角部拡大図、（３）は本発明の比較例を示す断面図、（４）は（３）の隅角部拡大図である。
【図２】図２（１）は、本発明に係る耐火木質部材の実施の形態２を示す断面図、（２）は（１）の隅角部拡大図、（３）は本発明の比較例を示す断面図、（４）は（３）の隅角部拡大図である。
【図３】図３は、芯材隅角部温度の経時変化（１０ｃｍ角の芯材の場合）を示す図である。
【図４】図４は、芯材隅角部温度の経時変化（２０ｃｍ角の芯材の場合）を示す図である。
【図５】図５は、芯材表面（隅角部〜側面部線対称位置）の温度分布（１０ｃｍ角の芯材の場合）を示す図であり、（１）は加熱開始後３０分時、（２）は６０分時である。
【図６】図６は、芯材表面（隅角部〜側面部線対称位置）の温度分布（２０ｃｍ角の芯材の場合）を示す図であり、（１）は加熱開始後３０分時、（２）は６０分時である。
【図７】図７は、従来の火災加熱を受ける耐火木質部材の一例であり、（１）は木質柱の水平断面図、（２）は木質梁の鉛直断面図である。
【発明を実施するための形態】
【００１８】
以下に、本発明に係る耐火木質部材の実施の形態について、木質柱の場合を例にとり図面に基づいて詳細に説明する。なお、この実施の形態によりこの発明が限定されるものではない。
【００１９】
（実施の形態１）
まず、本発明の実施の形態１について説明する。
図１（１）および（２）に示すように、本実施の形態に係る耐火木質部材１００は、荷重を支持する木質材料からなる芯材１０と、芯材１０の外側に設けられる高熱伝導材１２と、高熱伝導材１２の外側に設けられる燃え止まり層１４とを備える木質柱である。芯材１０および芯材１０を含む部材全体の断面の形状は正四角形状（多角形状）である。
【００２０】
芯材１０は、荷重を支持する集成材（木質材料）からなる。芯材１０としては、例えばスギやカラマツ等からなる一般的な集成材を用いて構成することができる。芯材１０の太さ（対辺の距離）は用途に応じて適宜調整可能であるが、例えば４５０ｍｍ程度とすることができる。
【００２１】
高熱伝導材１２は、隣接する芯材１０および燃え止まり層１４よりも熱伝導率の大きい材料からなる。燃え止まり層１４を石膏ボード等の断熱材で構成する場合、この断熱材および木質材料よりも熱伝導率の大きい材料としては、例えば一般鋼材、ステンレス鋼材、アルミニウム合金等の金属フィルムや金属板などが挙げられ、高熱伝導材１２をこうした材料で構成することができる。また、図の例では、高熱伝導材１２を芯材１０の全周に設けた場合を示しているが、本発明はこの限りではない。すなわち、隅角部１６（角部）の温度上昇の抑制という本発明の目的を達成するには、少なくとも芯材１０の断面における隅角部１６を含む所定の領域の芯材表面に高熱伝導材１２が設けてあればよい。この場合、高熱伝導材１２を、隅角部１６が屈曲部となるようにＬ字状に設けてもよく、隅角部１６から測った延長を例えば芯材１０の一辺の長さの１／４程度としてもよい。
【００２２】
燃え止まり層１４は、耐火性を有する被覆層であり、例えば吸熱性および／または断熱性を有する無機質材料、燃えにくい不燃性の材料、あるいは、熱を受けると発泡して著しく厚みを増し、断熱性を発現する耐火シートや耐火フィルムなどの材料により構成することができる。この燃え止まり層１４は火災時において、隣接する内側の高熱伝導材１２、芯材１０への熱の伝達を防止し、芯材１０を炭化や燃焼させない機能を持っており、芯材１０への熱伝導を抑制する作用を発揮する。燃え止まり層１４を無機質材料で構成する場合には、例えば強化石膏ボード、石膏ボード、ケイカル板（ケイ酸カルシウム板）等のボード状の材料を用いることができる。また、その厚さは、用途に応じて適宜調整可能である。厚くすると、熱伝導を抑制する効果は向上する。これらのボードは、重ねて所定の厚さにしてもよい。ここで、強化石膏ボード、石膏ボード、ケイカル板（ケイ酸カルシウム板）等の材料は、極めて安価に入手できるとともに、高い断熱性と吸熱性とを有することから、燃え止まり層１４として好適である。また、燃え止まり層１４を不燃性の材料により構成する場合には、例えば木材にホウ酸等の薬剤を含浸させて不燃処理した不燃木材を用いることができる。燃え止まり層１４の厚さは用途に応じて適宜調整可能であるが、例えば１５ｍｍ〜４５ｍｍ程度とするのが好ましく、３０ｍｍ程度とするのがより好ましい。また、燃え止まり層１４を上記の耐火シートや耐火フィルムなどの材料で構成する場合には、その厚さは用途に応じて適宜調整可能であるが、例えば、１ｍｍ〜１２ｍｍ程度とするのが好ましく、１．５ｍｍ〜６ｍｍ程度とするのがより好ましい。
【００２３】
上記のように構成した耐火木質部材１００の作用について説明する。
図１（１）および（２）は本実施の形態を、図１（３）および（４）は比較例を示している。比較例は芯材１０と燃え止まり層１４のみからなる従来型の構造である。図１（４）、（２）に示すように、比較例と本実施の形態の燃え止まり層１４の厚さをそれぞれｔ０、ｔｓとし、火災による周囲からの加熱Ｆによって隅角部１６（ハッチング部分）に流入する熱エネルギーをＥ０、Ｅｓ、隅角部１６（ハッチング部分）の温度をＴ０、Ｔｓとする。
【００２４】
ここで、本実施の形態の高熱伝導材１２は、図１（２）に示すように、隅角部１６に集中する熱エネルギーＨを側面部中央方向Ｇへ分散させるように作用する。したがって、燃え止まり層１４の厚さｔ０＝ｔｓとすると、隅角部１６に流入する熱エネルギーＥ０＞Ｅｓ、温度Ｔ０＞Ｔｓとなる。このため、本実施の形態によれば、比較例に比べて隅角部１６の温度上昇を抑制することができる。
【００２５】
このように、耐火木質部材１００によれば、熱エネルギーが集中して耐火上弱点となる隅角部１６を含む芯材１０の表面に高熱伝導材１２を設けており、この高熱伝導材１２を介して隅角部１６に集中する熱エネルギーを芯材表面に沿った方向に分散させることによって、隅角部１４の温度上昇を抑制し、その耐火性能を著しく向上することができる。したがって、部材を細くしても従来と同等以上の構造性能を確保でき、部材断面のスリム化と低コスト化を図ることができる。また、この耐火木質部材１００を室内の柱（あるいは梁）等に用いることで、室内空間の開放性が高まり、室内を有効活用することが可能となる。
【００２６】
なお、上記の実施の形態において、燃え止まり層１４の外側に木質感を付与するための仕上げ材をさらに備えてもよい。あるいは、燃え止まり層１４の代わりに、芯材１０の外側に木質感を付与するための仕上げ材を設けてもよい。この仕上げ材によって耐火木質部材１００の外表面は木質感や木目調の外観を呈することが可能である。仕上げ材としては、木材や化粧用集成材等の木質材料であることがコスト節減のため望ましいが、クロス材等の建築用仕上げ材を用いてもよい。仕上げ材の厚さは、例えば３ｍｍ〜３０ｍｍ程度とすることが好ましいが、もちろん、これよりも薄くしても構わない。
【００２７】
また、上記の実施の形態において、燃え止まり層１４を、作用、機能の異なる２層以上の燃え止まり層で構成してもよい。このようにしても、上記と同様の作用効果を奏することが可能である。
【００２８】
（実施の形態２）
次に、本発明の実施の形態２について説明する。
図２（１）および（２）に示すように、本実施の形態に係る耐火木質部材２００は、荷重を支持する木質材料からなる芯材１０と、芯材１０の外側に設けられる第２燃え止まり層１４Ｂと、その外側に設けられる高熱伝導材１２と、高熱伝導材１２の外側に設けられる第１燃え止まり層１４Ａとを備える木質柱である。
【００２９】
高熱伝導材１２は、隣接する第１燃え止まり層１４Ａ、第２燃え止まり層１４Ｂよりも熱伝導率の大きい材料からなる。この高熱伝導材１２については、上記の実施の形態１で説明した部材と同様であるので詳細な説明は省略する。
【００３０】
芯材１０、第２燃え止まり層１４Ｂ、第１燃え止まり層１４Ａについては、上記の実施の形態１で説明した芯材１０、燃え止まり層１４と同様であるので詳細な説明は省略する。
【００３１】
第２燃え止まり層１４Ｂ、第１燃え止まり層１４Ａは、本実施の形態では同一材料で構成されているが、本発明はこれに限るものではなく、作用、機能の異なる別の材料で構成しても構わない。なお、第１燃え止まり層１４Ａの外側に木質感を付与するための仕上げ材をさらに備えてもよい。また、第２燃え止まり層１４Ｂ、第１燃え止まり層１４Ａに加えて、１層以上の燃え止まり層を有してもよい。この場合、耐火木質部材全体としては３層以上（複数層）の燃え止まり層を有することとなる。さらに、最も外側の燃え止まり層の外側に木質感を付与するための仕上げ材を備えてもよい。
【００３２】
上記のように構成した耐火木質部材２００の作用について説明する。
図２（１）および（２）は本実施の形態を、図２（３）および（４）は比較例を示している。比較例は芯材１０と燃え止まり層１４のみからなる従来型の構造である。図２（４）、（２）に示すように、比較例の燃え止まり層１４、本実施の形態の第１燃え止まり層１４Ａ、第２燃え止まり層１４Ｂの厚さをそれぞれｔ０、ｔｓ１、ｔｓ２とし、火災による周囲からの加熱Ｆによって隅角部１６（ハッチング部分）に流入する熱エネルギーをＥ０、Ｅｓ、隅角部１６（ハッチング部分）の温度をＴ０、Ｔｓとする。
【００３３】
ここで、本実施の形態の高熱伝導材１２は、図２（２）に示すように、隅角部１６に集中する熱エネルギーＨを側面部中央方向Ｇへ分散させるように作用する。したがって、燃え止まり層１４の厚さｔ０＝ｔｓ１＋ｔｓ２とすると、隅角部１６に流入する熱エネルギーＥ０＞Ｅｓ、温度Ｔ０＞Ｔｓとなる。このため、本実施の形態によれば、比較例に比べて隅角部１６の温度上昇を抑制することができる。なお、高熱伝導材１２の外側に熱を遮るものが多くある方が、流入する熱エネルギーが小さくなるので、隅角部１６からの熱エネルギーの分散効果が高くなる。したがって、高熱伝導材１２は芯材１０により近い側に配置される方がよい。
【００３４】
このように、耐火木質部材２００によれば、熱エネルギーが集中して耐火上弱点となる隅角部１６を含む領域において、第１燃え止まり層１４Ａと第２燃え止まり層１４Ｂの間に高熱伝導材１２を設けており、この高熱伝導材１２を介して隅角部１６に集中する熱エネルギーを芯材表面に沿った方向に分散させることによって、隅角部１４の温度上昇を抑制し、その耐火性能を著しく向上することができる。したがって、部材を細くしても従来と同等以上の構造性能を確保でき、部材断面のスリム化と低コスト化を図ることができる。また、この耐火木質部材２００を室内の柱（あるいは梁）等に用いることで、室内空間の開放性が高まり、室内を有効活用することが可能となる。
【００３５】
（本発明の作用効果の検証）
次に、本発明の作用効果の検証について説明する。
本検証では、一例として、１０ｃｍ角の芯材を総厚さ３０ｍｍの石膏ボードからなる断熱材（燃え止まり層）で被覆した木質柱と２０ｃｍ角の芯材を総厚さ３０ｍｍの石膏ボードからなる断熱材（燃え止まり層）で被覆した正四角形断面の木質柱が、その４側面からＩＯＳ８３４に規定される標準加熱温度時間曲線による１時間加熱を受けた場合の熱伝導計算を行った。計算では断熱材と木質の芯材の間に高熱伝導材として金属板（ＳＳ４００相当の鋼板）を挿入し、その厚さを計算パラメータとした。なお、石膏ボードの含水率は６ｗｔ％、芯材の含水率は１０ｗｔ％として、１００℃における蒸発潜熱を考慮した。なお、本解析では木質材料の着火温度を超えても木質材料が燃焼しないものと仮定した。図３と図４に隅角部温度の経時変化を示し、図５と図６に加熱開始後３０分時および６０分時の芯材表面の温度分布を示す。
【００３６】
図３と図４から、鋼板（金属板）を挿入することによって、鋼板の挿入がない場合に比べて隅角部の温度上昇が抑制されることがわかる。鋼板の厚い方が温度上昇の抑制効果が大きいのは、鋼板の熱容量が大きいことによる。また、各鋼板厚さの計算結果に関して、芯材断面が１０ｃｍ×１０ｃｍの場合と２０ｃｍ×２０ｃｍの場合における隅角部温度に大差がない。このことから、隅角部に集中する熱エネルギーの分散において、芯材断面の大きさの影響は小さいといえる。
【００３７】
図５および図６の加熱開始後６０分時の芯材表面温度分布では、鋼板なしよりも鋼板ありの温度が高くなっている範囲がある。すなわち、１０ｃｍ×１０ｃｍの芯材では、鋼板厚さ０．１ｍｍの場合で隅角部から２５ｍｍ以上離れた範囲において、鋼板厚さ０．５ｍｍで３０ｍｍ以上離れた範囲において「鋼板なし」よりも温度が高くなっており、２０ｃｍ×２０ｃｍの芯材では、鋼板厚さ０．１ｍｍの場合で隅角部から３０〜６０ｍｍ程度離れた範囲において「鋼板なし」よりも温度が高くなっている。これは鋼板の熱伝導率が石膏ボードや木質の芯材よりも大きいために、隅角部の熱エネルギーが芯材表面に平行な方向に移動したことを示しているといえる。
【００３８】
図３と図４の結果から、隅角部に集中する熱エネルギーの分散において、芯材断面の大きさの影響は小さいと考察されたこと、図６において、隅角部からの距離が６０ｍｍ以上離れた範囲における１時間加熱時の芯材側面の表面温度は概ね同等な温度を呈していることから、鋼板厚さ５ｍｍ以下の場合、隅角部から６０ｍｍ以上の範囲に鋼板層を設ければ、隅角部の温度上昇の抑制効果があるといえる。
【００３９】
なお、上記の説明では、四角形断面の部材を例に取り上げたが、本発明はこれに限るものではなく、三角形断面や五角形以上の多角形断面の木質部材にも適用可能であり、四角形断面の場合と同様の作用効果を奏することができる。すなわち、隅角部１６を含む芯材１０表面に高熱伝導材１２を設けることは、隅角部１６の温度上昇を抑制するとともに耐火性能の向上に有効である。
【００４０】
以上説明したように、本発明に係る耐火木質部材によれば、荷重を支持する木質材料からなる芯材を備えた耐火性を有する木質部材であって、少なくとも芯材の断面における角部の表面を含む所定の領域に、芯材よりも熱伝導率の大きい高熱伝導材が設けられているので、耐火上弱点となる角部の温度上昇を抑制し、角部の耐火性能を著しく向上することができる。したがって、部材を細くしても従来と同等以上の構造性能を確保でき、部材断面のスリム化と低コスト化を図ることができる。また、この耐火木質部材を室内の柱や梁等に用いることで、室内空間の開放性が高まり、室内を有効活用することが可能となる。
【００４１】
また、本発明に係る他の耐火木質部材によれば、芯材の外側に設けられる燃え止まり層または仕上げ材をさらに備え、高熱伝導材は、芯材と燃え止まり層または仕上げ材との間に設けられ、燃え止まり層または仕上げ材よりも熱伝導率が大きいので、高熱伝導材によって耐火上弱点となる角部の温度上昇を抑制し、角部の耐火性能を著しく向上することができる。また、燃え止まり層によって、火災による芯材への熱の伝達を抑制し、芯材の炭化や燃焼を防ぐことができる。また、仕上げ材によって、芯材の外側に木質感を付与することができる。
【００４２】
また、本発明に係る他の耐火木質部材によれば、芯材の外側に設けられる第２燃え止まり層と、第２燃え止まり層の外側に設けられる第１燃え止まり層とをさらに備え、高熱伝導材は、第２燃え止まり層と第１燃え止まり層との間に設けられ、第２燃え止まり層および第１燃え止まり層よりも熱伝導率が大きいので、高熱伝導材によって耐火上弱点となる角部の温度上昇を抑制し、角部の耐火性能を著しく向上することができる。また、第２燃え止まり層および第１燃え止まり層によって、火災による芯材への熱の伝達を抑制し、芯材の炭化や燃焼を防ぐことができる。
【００４３】
また、本発明に係る他の耐火木質部材によれば、芯材の外側に設けられる燃え止まり層と、この燃え止まり層の外側に設けられる仕上げ材とをさらに備え、高熱伝導材は、芯材と燃え止まり層との間、または、燃え止まり層と仕上げ材との間の少なくとも一方に設けられ、芯材および燃え止まり層、または、燃え止まり層および仕上げ材よりも熱伝導率が大きいので、高熱伝導材によって耐火上弱点となる角部の温度上昇を抑制し、角部の耐火性能を著しく向上することができる。また、燃え止まり層によって、火災による芯材への熱の伝達を抑制し、芯材の炭化や燃焼を防ぐとともに、仕上げ材によって、芯材の外側に木質感を付与することができる。
【産業上の利用可能性】
【００４４】
以上のように、本発明に係る耐火木質部材は、建築構造部材として使用するのに有用であり、特に、部材断面のスリム化ひいては低コスト化を図るのに適している。
【符号の説明】
【００４５】
１０  芯材
１２  高熱伝導材
１４  燃え止まり層
１４Ａ  第１燃え止まり層
１４Ｂ  第２燃え止まり層
１６  隅角部（角部）
１００，２００  耐火木質部材
【図１】
2018021423.tif 000003
【図２】
2018021423.tif 000004
【図３】
2018021423.tif 000005
【図４】
2018021423.tif 000006
【図５】
2018021423.tif 000007
【図６】
2018021423.tif 000008
【図７】
2018021423.tif 000009